(57)【要約】【課題】ドアスコープの室内側覗き部を覆うカバーがドア本体の室内側の面よりも室内側に突出せず他の部分に干渉しないように構成されたドアを提供する。【解決手段】室内側の面２３を室外側の面２４に近付く方向に窪ませた凹部２１を備えたドア本体２と、ドア本体の凹部とドア本体の室外側の面とに連通するように取付けられて、一端側が室内側覗き部３０Ａとなって他端側が室外側覗き部３０Ｂとなった覗き孔３０を備えたドアスコープ３と、凹部に配置されるドアスコープの室内側覗き部を開放及び閉鎖可能にドア本体の凹部に取付けられてドアスコープの室内側覗き部を覆って閉鎖した状態において凹部内に収容されるカバー５と、を備えた。【選択図】図１
2018012994.tif 000002
【特許請求の範囲】
【請求項１】
室内側の面を室外側の面に近付く方向に窪ませた凹部を備えたドア本体と、
ドア本体の凹部とドア本体の室外側の面とに連通するように取付けられて、一端側が室内側覗き部となって他端側が室外側覗き部となった覗き孔を備えたドアスコープと、
凹部に配置されるドアスコープの室内側覗き部を開放及び閉鎖可能にドア本体の凹部に取付けられてドアスコープの室内側覗き部を覆って閉鎖した状態において凹部内に収容されるカバーと、
を備えたことを特徴とするドア。
【請求項２】
凹部の底面は、ドア本体の室外側の面と平行な円形面に形成され、
ドアスコープは、室内側覗き部が凹部の底面の円の中心よりドア本体の下方側に位置されるように配置され、
カバーは、凹部の底面の円の中心を回転中心として回転可能でかつ自重によりドアスコープの室内側覗き部を閉鎖する状態となるように構成されたことを特徴とする請求項１に記載のドア。
【発明の詳細な説明】
【技術分野】
【０００１】
本発明は、ドアスコープを備えたドアに関する。
【背景技術】
【０００２】
従来、ドアスコープを備えたドアとして、ドアスコープの室外側から室内を覗くことができないように、ドアスコープの室内側覗き部をカバーで覆うようにした構成のものが知られている(例えば特許文献１；２等参照）。
【先行技術文献】
【特許文献】
【０００３】
【特許文献１】特許第４７６２６５６号公報
【特許文献２】特開２００４−１００４５５号公報
【発明の概要】
【発明が解決しようとする課題】
【０００４】
上述した従来のドアスコープを備えたドアは、カバーが、ドア本体の室内側の面と直交する回転中心軸を回転中心としてドア本体の室内側の面と平行な面上を回転自在なように構成されているため、当該カバーは、回転に支障が無いように、ドア本体の室内側の面よりも室内側に突出するように設けられている。従って、当該カバーが他の部分に干渉する可能性があった。特に、ドア本体が引戸の場合、カバーが枠や気密材と干渉し、ドアの開閉障害が生じたり、気密材が損傷するといった問題点があった。
本発明は、上記課題に鑑みてなされたもので、ドアスコープの室内側覗き部を覆うカバーがドア本体の室内側の面よりも室内側に突出せず他の部分に干渉しないように構成されたドアを提供する。
【課題を解決するための手段】
【０００５】
本発明に係るドアは、室内側の面を室外側の面に近付く方向に窪ませた凹部を備えたドア本体と、ドア本体の凹部とドア本体の室外側の面とに連通するように取付けられて、一端側が室内側覗き部となって他端側が室外側覗き部となった覗き孔を備えたドアスコープと、凹部に配置されるドアスコープの室内側覗き部を開放及び閉鎖可能にドア本体の凹部に取付けられてドアスコープの室内側覗き部を覆って閉鎖した状態において凹部内に収容されるカバーと、を備えたことを特徴とする。
また、凹部の底面は、ドア本体の室外側の面と平行な円形面に形成され、ドアスコープは、室内側覗き部が凹部の底面の円の中心よりドア本体の下方側に位置されるように配置され、カバーは、凹部の底面の円の中心を回転中心として回転可能でかつ自重によりドアスコープの室内側覗き部を閉鎖する状態となるように構成されたことを特徴とする。
【発明の効果】
【０００６】
本発明に係るドアによれば、ドア本体の室内側の面に凹部を設けるとともに、当該凹部に配置されるドアスコープの室内側覗き部を開放及び閉鎖可能なようにドア本体の凹部に取付けられてドアスコープの室内側覗き部を閉鎖した状態において凹部内に収容されるカバーを設けたので、カバーがドア本体の室内側の面よりも室内側に突出しないように構成されて他の部分に干渉しないようになる。特に、本願構成を引戸に適用した場合、カバーが枠や気密材と干渉しなくなるため、引戸の開閉障害が生じたり、気密材が損傷するといった問題点を解消できるようになる。
【図面の簡単な説明】
【０００７】
【図１】ドアの断面図。
【図２】ドアの分解斜視図。
【図３】（ａ）はカバーにより室内側覗き部が閉鎖された状態を示す正面図、（ｂ）は室内側覗き部が開放された状態を示す正面図。
【発明を実施するための形態】
【０００８】
図１，図２に示すように、実施形態に係るドア１は、ドア本体２と、ドアスコープ３と、カバーベース４と、カバー５とを備えて構成される。
【０００９】
ドア本体２は、例えば、横桟・縦框等の骨組みの両面にドア本体２の面（ドア面）を形成する板２０Ａ；２０Ｂを組み付けて構成された所謂フラッシュドアにより形成された引戸であり、凹部２１とドアスコープ装着孔２２とを備えて構成される。
凹部２１は、ドア本体２の室内側の面２３をドア本体２の室外側の面２４に近付く方向に窪ませることにより、底面２５がドア本体２の室外側の面２４及びドア本体２の凹部２１以外の室内側の面２３と平行な円形面に形成された凹部である。
ドアスコープ装着孔２２は、ドア本体２の室内側の面２３に形成された凹部２１の底面２５とドア本体２の室外側の面２４とを貫通する貫通孔により形成される。即ち、ドア本体２の室内側の板２０Ａに設けられた凹部２１の底面２５を貫通するように形成された室内側孔２２Ａ、及び、当該室内側孔２２Ａと対向するようにドア本体２の室外側の板２０Ｂを貫通するように形成された室外側孔２２Ｂを有した構成である。つまり、ドアスコープ装着孔２２は、孔の中心軸が一致するように形成された室内側孔２２Ａと室外側孔２２Ｂとで構成される。
室内側孔２２Ａは、孔の中心が、凹部２１の底面２５を形成する円形面の中心よりドア本体２の下方側、好ましくは、凹部２１の底面２５を形成する円形面の中心の真下に位置されるように形成されている。
【００１０】
ドアスコープ３は、ドア本体２の凹部２１とドア本体２の室外側の面２４とに跨って連通するように、ドアスコープ装着孔２２に装着される。
ドアスコープ３は、室内側スコープ３１と室外側スコープ３２とを備えて構成される。
室内側スコープ３１は、筒部３３と、筒部３３の一端に設けられた室内側フランジ３４と備える。
室外側スコープ３２は、筒部３５と、筒部３５の一端に設けられた室外側フランジ３６と備える。
例えば、室内側スコープ３１の筒部３３の内周面には、筒部３３の他端から一端側に延長する雌ねじ部３７が形成されて、室外側スコープ３２の筒部３５の外周面には、筒部３５の他端から一端側に延長する雄ねじ部３８が形成されており、室外側スコープ３２の筒部３５の内側には、図外のレンズが設置されている。例えば、室外側スコープ３２の筒部３５の一端側（室外側フランジ３６側）には凹レンズが取付けられ、室外側スコープ３２の筒部３５の他端側には凸レンズが取付けられている。
そして、室内側スコープ３１が筒部３３の他端側から室内側孔２２Ａに挿入され、室外側スコープ３２が筒部３５の他端側から室外側孔２２Ｂに挿入されて、室外側スコープ３２の雄ねじ部３８と室内側スコープ３１の雌ねじ部３７とが螺合されて締結されることにより、ドアスコープ３がドアスコープ装着孔２２に装着されて、室内側スコープ３１の筒部３３の一端側（室内側フランジ３４側）の開口が室内側覗き部３０Ａを構成し、かつ、室外側スコープ３２の筒部３５の一端側（室外側フランジ３６側）の開口が室外側覗き部３０Ｂを構成する。
即ち、ドアスコープ３は、ドア本体２の凹部２１とドア本体２の室外側の面２４とに跨って連通するように取付けられて、一端側が室内側覗き部３０Ａとなって他端側が室外側覗き部３０Ｂとなった覗き孔３０を備え、室内側覗き部３０Ａを介して室内から室外を覗き見できるように構成されたものである。
【００１１】
カバーベース４は、凹部２１の底面２５の円形面に対応した円形でかつ板厚寸法が凹部２１の深さ寸法よりも短い円形板により形成される。このカバーベース４には、室内側孔２２Ａと連通する貫通孔４１が形成されており、この貫通孔４１の室内側には、室内側スコープ３１の室内側フランジ３４を収容する環状の段差部により形成されたフランジ収容部４２を備える。
また、カバーベース４の円の中心には、カバー５を回転可能に軸支する軸ピン５１が圧入されて固定される軸ピン固定孔４３が形成されている。
このカバーベース４は、例えば、一方の円形面と凹部２１の底面２５の円形面とが面接触状態となって、かつ、貫通孔４１の中心軸と室内側孔２２Ａの中心軸とが一致するように、図外のねじや接着剤などの固定手段によって凹部２１の底面２５に固定される。
【００１２】
カバー５は、室内側覗き部３０Ａを介して室内から室外を覗き見できるようにドアスコープ３の室内側覗き部３０Ａを開放可能で、かつ、室外側覗き部３０Ｂを介して室外から室内を覗き見できないように該室内側覗き部３０Ａを室内側で覆って閉鎖可能なようにドア本体２の凹部２１に取付けられている。そして、カバー５は、ドアスコープ３の室内側覗き部３０Ａを室内側で覆って閉鎖した状態において凹部２１内に収容されるように構成されている。
カバー５は、凹部２１の底面２５の円形面に対応した円形の板を当該円形の直径よりも短い弦で切断した半円よりも大きい欠円形状（円の一端を背切った形（Ｄカット））で、板厚寸法が凹部２１の深さ寸法よりも短い欠円形状板により形成される。
当該カバー５を形成する欠円形状板の欠円形の元となった円形の中心位置には、上記軸ピン５１を貫通させる貫通孔５２が形成されている。
【００１３】
ドア本体２に対するドアスコープ３、カバー５の組付方法の一例を説明する。
室内側スコープ３１を、筒部３３の他端側から、凹部２１の底面２５に固定されたカバーベース４の貫通孔４１及び室内側孔２２Ａに挿入して、室内側フランジ３４をカバーベース４のフランジ収容部４２に収容した状態とするとともに、室外側スコープ３２を、筒部３５の他端側から室外側孔２２Ｂに挿入して、室外側スコープ３２の筒部３５の外側の雄ねじ部３８と室内側スコープ３１の筒部３３の内側の雌ねじ部３７とを螺合させて、室外側スコープ３２の室外側フランジ３６がドア本体２の室外側の面２４と接触するように締結する。以上により、ドアスコープ３がドア本体２の凹部２１とドア本体２の室外側の面２４とに跨って連通するように組み付けられ、室内側覗き部３０Ａが、凹部２１の底面２５の円の中心よりドア本体２の下方側、好ましくは、凹部２１の底面２５の円の中心の真下に位置されるように構成される。
次に、カバー５の貫通孔５２の中心軸とカバーベース４の軸ピン固定孔４３の中心軸とが一致するようにカバー５を設置した状態で、軸ピン５１を貫通孔５２に通して軸ピン固定孔４３に圧入することにより、カバー５が、凹部２１内において軸ピン５１を回転中心として回転可能に構成される。即ち、カバー５が、凹部２１の底面２５の円の中心を回転中心として回転可能でかつ自重によりドアスコープ３の室内側覗き部３０Ａを室内側で覆って閉鎖する状態となるように構成される。
【００１４】
以上により、通常は、図３（ａ）に示すように、カバー５が、凹部２１の底面２５の円の中心に位置する軸ピン５１を回転中心として回転可能でかつ自重によりドアスコープ３の室内側覗き部３０Ａを覆って閉鎖するので、ドアスコープ３の室外側覗き部３０Ｂを介して室外から室内を覗き見することができない状態となる。
そして、室内側から室外を覗く場合には、図３（ａ）の矢印ａ又は矢印ｂに示すように、凹部２１の底面２５の円の中心（軸ピン５１）を回転中心としてカバー５を上方に回転させることにより、図３（ｂ）に示すように、室内側覗き部３０Ａがカバー５で覆われていない状態に開放されるので、ドアスコープ３の室内側覗き部３０Ａを介して室内から室外を覗き見することができる状態となる。
【００１５】
実施形態のドア１によれば、カバー５を備えることで室外から室内を覗き見することができない状態に設定可能であるとともに、カバー５を回転させて上方に移動させることによって室内から室外を覗き見することができるようになり、かつ、カバー５が室外から室内を覗き見することができないようにドアスコープ３の室内側覗き部３０Ａを覆って閉鎖した状態において凹部２１内に収容されるため、カバー５がドア本体２の室内側の面２３よりも突出せずに枠や気密材と干渉しなくなるので、開閉障害が生じたり、気密材が損傷するといった問題点を解消できる引戸（ドア１）を得ることができる。
【００１６】
また、実施形態では、カバーベース４を備えた構成としたため、ドア本体２の凹部２１の底面２５に、ドアスコープ３の室内側フランジ３４を収容するためのフランジ収容部や、軸ピン５１の固定孔を設けることなく、ドアスコープ３の室内側フランジ３４をカバーベース４に収容するとともに軸ピン５１をカバーベース４に固定することが可能となる。
【００１７】
尚、軸ピン５１をカバーベース４や凹部２１の底面２５にねじ止めして固定するようにしてもよい。
また、実施形態では、カバーベース４を設けた形態を例示したが、カバーベース４を設けずに、カバー５を凹部２１の底面２５に回転可能に取付けるようにしてもよい。
また、カバー５は、凹部２１の底面２５の面に沿って当該面に平行に設けられた回転中心軸を回転中心として室内側に回転して開放状態となるような構成としてもよい。
また、ドア２は、開き戸、又は、折れ戸であってもよい。
また、ドア２は、所謂框ドアであってもよい。
【符号の説明】
【００１８】
１  ドア、２  ドア本体、３  ドアスコープ、５  カバー、２１  凹部、
２３  ドア本体の室内側の面、２４  ドア本体の室外側の面、２５  凹部の底面、
３０  覗き孔、３０Ａ  室内側覗き部、３０Ｂ  室外側覗き部。
【図１】
2018012994.tif 000003
【図２】
2018012994.tif 000004
【図３】
2018012994.tif 000005